(57)【特許請求の範囲】
【請求項１】
熱交換器（１４）と、
前記熱交換器（１４）に液状冷媒を分流して流す冷媒分流器（１９）と、
底板（４１）を有しかつ前記熱交換器（１４）及び前記冷媒分流器（１９）を収容する筐体（４０）と、を備え、
前記底板（４１）に、排水用の第１開口（４１ａ）を有する第１排水部（５３）が設けられ、
前記冷媒分流器（１９）が、分岐流路を有する分流器本体（５０）と、前記分流器本体（５０）の下面（５０ｂ）から下方に突出したあと折り曲げられ、前記下面（５０ｂ）よりも上方で前記熱交換器（１４）に接続される複数の冷媒管（Ａ，Ｂ，Ｃ）と、を備えており、
全ての前記冷媒管（Ａ，Ｂ，Ｃ）の最下端が、上下方向において前記第１開口（４１ａ）と重なる位置に配置されている、空気調和機。
【請求項２】
熱交換器（１４）と、
前記熱交換器（１４）に液状冷媒を分流して流す冷媒分流器（１９）と、
底板（４１）を有しかつ前記熱交換器（１４）及び前記冷媒分流器（１９）を収容する筐体（４０）と、を備え、
前記底板（４１）に、排水用の第１開口（４１ａ）を有する第１排水部（５３）が設けられ、
前記冷媒分流器（１９）が、分岐流路を有する分流器本体（５０）と、前記分流器本体（５０）の下面（５０ｂ）から下方に突出したあと折り曲げられ、前記下面（５０ｂ）よりも上方で前記熱交換器（１４）に接続される複数の冷媒管（Ａ，Ｂ，Ｃ）と、を備えており、
全ての前記冷媒管（Ａ，Ｂ，Ｃ）の最下端が、上下方向において前記第１排水部（５３）と重なる位置に配置され、
前記底板（４１）に、排水用の第２開口（４１ｂ）を有する第２排水部（５４）が形成され、
少なくとも１つの前記冷媒管（Ｂ，Ｃ）が、前記最下端（Ｂ２ｂ，Ｃ２）と前記熱交換器（１４）との間に、水平方向に対して傾斜する第２傾斜部（Ｂ３，Ｃ３）と、前記第２傾斜部（Ｂ３，Ｃ３）の端部から前記第２傾斜部（Ｂ３，Ｃ３）とは異なる方向に折り曲げられた第３傾斜部（Ｂ４，Ｃ４）と、を有し、
前記第３傾斜部（Ｂ４，Ｃ４）は、前記第２傾斜部（Ｂ３，Ｃ３）側の端部が低くなるように水平方向に対して傾斜し、
前記第２傾斜部（Ｂ３，Ｃ３）と前記第３傾斜部（Ｂ４，Ｃ４）との間の境界（Ｂ６，Ｃ６）が、上下方向において前記第２排水部（５４）と重なる位置に配置されている、空気調和機。
【請求項３】
少なくとも１つの前記冷媒管（Ｂ）が、前記分流器本体（５０）の下面（５０ｂ）に接続され前記分流器本体（５０）の下面（５０ｂ）から下方に突出する第１接続部（Ｂ１）と、前記第１接続部（Ｂ１）の下端から水平方向に対して傾斜する方向に折り曲げられた第１傾斜部（Ｂ２）とを有し、
前記第１傾斜部（Ｂ２）の下側の端部が、前記最下端である、請求項１又は２に記載の空気調和機。
【請求項４】
前記第１傾斜部（Ｂ２）が、水平方向に対して１５度以上傾斜している、請求項３に記載の空気調和機。
【請求項５】
少なくとも１つの前記冷媒管（Ｃ）が、前記分流器本体（５０）の下面（５０ｂ）に接続され前記分流器本体（５０）の下面（５０ｂ）から下方に突出する第１接続部（Ｃ１）と、前記第１接続部（Ｃ１）から水平方向に折り曲げられた水平部（Ｃ２）とを有し、
前記水平部（Ｃ２）が、前記最下端である、請求項１又は２に記載の空気調和機。
【請求項６】
前記第２傾斜部（Ｂ３，Ｃ３）は、前記第３傾斜部（Ｂ４，Ｃ４）側が高くなるように傾斜し、
前記第２傾斜部（Ｂ３，Ｃ３）の下側の端部が、前記最下端（Ｂ２ｂ，Ｃ２）と連続している、請求項２に記載の空気調和機。
【請求項７】
前記第２傾斜部（Ｂ３，Ｃ３）及び前記第３傾斜部（Ｂ４，Ｃ４）が、水平方向に対して１５度以上傾斜している、請求項２又は６に記載の空気調和機。
【請求項８】
前記冷媒管（Ａ，Ｂ，Ｃ）が、前記熱交換器（１４）に接続される第２接続部（Ａ７，Ｂ７，Ｃ７）を備え、
少なくとも１つの前記冷媒管（Ａ，Ｂ，Ｃ）は、前記第２接続部（Ａ７，Ｂ７，Ｃ７）から前記最下端（Ａ３，Ｂ２ｂ，Ｃ２）までの間、鉛直方向に沿って配置されるか、又は、前記第２接続部（Ａ７，Ｂ７，Ｃ７）側から前記最下端（Ａ３，Ｂ２ｂ，Ｃ２）側へ向けて下り勾配に配置されている、請求項１〜７のいずれか１項に記載の空気調和機。
【請求項９】
平面視において、前記熱交換器（１４）の一端と他端とが距離をあけて配置されており、前記熱交換器（１４）の一端に前記冷媒分流器（１９）が接続され、前記熱交換器（１４）の他端にガス側配管（２２）が接続される、請求項１〜８のいずれか１項に記載の空気調和機。
【発明の詳細な説明】
【技術分野】
【０００１】
本開示は、空気調和機に関する。
【背景技術】
【０００２】
特許文献１には、熱交換器と、複数のパスに液状冷媒を分流して熱交換器に流入させる冷媒分流器とを備えた空気調和機が開示されている。冷媒分流器は、内部に分岐流路を有する分流器本体と、分流器本体の下面に接続された複数の冷媒管とを備えている。複数の冷媒管は、それぞれ熱交交換器の液ヘッダに接続されている。
【先行技術文献】
【特許文献】
【０００３】
【特許文献１】特許第６５２２１７８号公報
【発明の概要】
【発明が解決しようとする課題】
【０００４】
外気温度が低い条件で暖房運転が行われると、熱交換器や冷媒管に霜が付着することがあるため、定期的に熱交換器に高温の冷媒を流すことによって霜を融解する除霜運転が行われる。しかし、除霜運転によって冷媒分流器で融解した水が空気調和機の底板上に溜まると、再度の暖房運転で凍り付き、次第に上へ向けて成長する現象（アイスアップ現象）が生じるおそれがある。
【０００５】
本開示は、冷媒分流器の冷媒管に付着した水を適切に外部に排出することができる空気調和機を提供することを目的とする。
【課題を解決するための手段】
【０００６】
（１）本開示の空気調和機は、
熱交換器と、
熱交換器に液状冷媒を分流して流す冷媒分流器と、
底板を有しかつ前記熱交換器及び前記冷媒分流器を収容する筐体と、を備え、
前記底板に、排水用の第１開口を有する第１排水部が設けられ、
前記冷媒分流器が、分岐流路を有する分流器本体と、
前記分流器本体の下面から下方に突出したあと折り曲げられ、前記下面よりも上方で前記熱交換器に接続される複数の冷媒管と、を備えており、
全ての前記冷媒管の最下端が、上下方向において前記第１排水部と重なる位置に配置されている。
【０００７】
以上のような構成によって、冷媒管の表面に付着した水は、冷媒管の最下端から落下し、第１排水部から筐体外に排出される。したがって、底板上で凍結した氷が上方へ向けて成長するアイスアップ現象の発生を抑制することができる。
【０００８】
（２）  好ましくは、前記冷媒管の最下端が、上下方向において前記第１開口と重なる位置に配置されている。
このような構成によって、冷媒管の表面に付着した水は、冷媒管の最下端から落下し、第１開口から直接的に筐体外に排出される。
【０００９】
（３）  好ましくは、少なくとも１つの前記冷媒管が、前記分流器本体の下面に接続され前記分流器本体の下面から下方に突出する第１接続部と、前記第１接続部の下端から水平方向に対して傾斜する方向に折り曲げられた第１傾斜部とを有し、
前記第１傾斜部の下側の端部が、前記最下端である。
このような構成によって、冷媒管に付着し第１傾斜部に到った水は、第１傾斜部に沿って下方に流れ、第１傾斜部の下側の端部から落下し、筐体外に排出される。
【００１０】
（４）  好ましくは、前記第１傾斜部が、水平方向に対して１５度以上傾斜している。
このような構成によって、第１傾斜部の下側の端部までドレン水を流した後、落下させることができる。
【００１１】
（５）  好ましくは、少なくとも１つの前記冷媒管が、前記分流器本体の下面に接続され前記分流器本体の下面から下方に突出する第１接続部と、前記第１接続部から水平方向に折り曲げられた水平部とを有し、
前記水平部が、前記最下端である。
このような構成によって、冷媒管に付着し水平部に到ったドレン水は、水平部の範囲内で落下し、筐体外に排出される。
【００１２】
（６）  好ましくは、前記底板に、排水用の第２開口を有する第２排水部が形成され、
少なくとも１つの前記冷媒管が、前記最下端と前記熱交換器との間に、水平方向に対して傾斜する第２傾斜部と、前記第２傾斜部の端部から前記第２傾斜部とは異なる方向に折り曲げられた第３傾斜部と、を有し、
前記第３傾斜部は、前記第２傾斜部側の端部が低くなるように水平方向に対して傾斜し、
前記第２傾斜部と前記第３傾斜部との間の折り曲げ部分が、上下方向において前記第２排水部と重なる位置に配置されている。
このような構成によって、第３傾斜部に付着した水が、第３傾斜部の傾斜によって折り曲げ部分まで流れ、折り曲げ部分から落下したとしても、第２排水部から筐体外に排出される。
【００１３】
（７）  好ましくは、前記第２傾斜部は、前記第３傾斜部側が高くなるように傾斜し、
前記第２傾斜部の下側の端部が、前記最下端と連続している。
このような構成によって、第３傾斜部に付着したドレン水は、第３傾斜部に沿って流れて第２傾斜部に到り、第２傾斜部の傾斜によって、第２傾斜部の下側の端部である最下端から落下し、第１排水部から筐体外へ排出される。
【００１４】
（８）  好ましくは、前記第２傾斜部及び前記第３傾斜部が、水平方向に対して１５度以上傾斜している。
このような構成によって、第２傾斜部及び第３傾斜部の下側の端部までドレン水を流した後落下させることができる。
【００１５】
（９）  好ましくは、前記冷媒管は、前記熱交換器に接続される第２接続部を備え、
少なくとも１つの前記冷媒管は、前記第２接続部から前記最下端までの間、鉛直方向に沿って配置されるか、又は、前記第２接続部側から前記最下端側へ向けて下り勾配に配置されている。
このような構成によって、接続端部と最下端との間で冷媒管に付着した水は、冷媒管を伝って最下端まで流れやすくなる。
【００１６】
（１０）  好ましくは、平面視において、前記熱交換器の一端と他端とが距離をあけて配置されており、前記熱交換器の一端に前記冷媒分流器が接続され、前記熱交換器の他端にガス側配管が接続される。
特許文献１に記載されている空気調和機においては、冷媒分流器とガス側配管とが熱交換器の一端側に配置されており、冷媒分流器の周囲がガス側配管によって温められ、ドレン水の凍結やアイスアップが生じにくい。本開示の空気調和機は、冷媒分流器とガス側配管とが熱交換器の一端と他端とに振り分けて配置されているので、冷媒分流器の周囲温度がより低くなり、ドレン水の凍結及びアイスアップが生じやすくなる。したがって、冷媒分流器の冷媒管を、以上に説明したような各構成とすることが、より有用である。
【図面の簡単な説明】
【００１７】
【図１】本開示の一実施の形態に係る空気調和機の概略構成図である。
【図２】空気調和機の内部を示す平面図である。
【図３】空気調和機の底板、液ヘッダ及び冷媒分流器を示す斜視図である。
【図４】室外熱交換器を展開して示す概略図である。
【図５Ａ】液ヘッダ及び冷媒分流器の下部側を示す斜視図である。
【図５Ｂ】液ヘッダ及び冷媒分流器の上部側を示す斜視図である。
【図６】液ヘッダ及び冷媒分流器の一部を左側から見た図である。
【図７】液ヘッダ及び冷媒分流器の一部を後側から見た図である。
【図８】図７のＥ−Ｅ線断面図である。
【図９】底板及び冷媒分流器の一部を後斜め上方から見た斜視図である。
【図１０】筐体の底板に形成された排水部の他の実施形態を示す断面図である。
【発明を実施するための形態】
【００１８】
以下、本開示の実施形態について図面を参照して説明する。
図１は、本開示の一実施の形態に係る空気調和機の概略構成図である。
空気調和機１は、室外に設置される室外機２と、室内に設置される室内機３とを備えている。室外機２と室内機３とは、連絡配管によって互いに接続されている。空気調和機１は、蒸気圧縮式の冷凍サイクル運転を行う冷媒回路４を備えている。冷媒回路４には、室内熱交換器１１、圧縮機１２、油分離器１３、室外熱交換器１４、膨張弁（膨張機構）１５、アキュムレータ１６、四方切換弁１７等が設けられており、これらが冷媒配管１０によって接続されている。冷媒配管１０は、液配管１０Ｌとガス配管１０Ｇとを含む。
【００１９】
室内熱交換器１１は、冷媒と室内空気とを熱交換させるための熱交換器であり、室内機３に設けられている。室内熱交換器１１としては、例えばクロスフィン型のフィン・アンド・チューブ熱交換器やマイクロチャネル型熱交換器等を採用することできる。室内熱交換器１１の近傍には、室内空気を室内熱交換器１１へ送風するための室内ファン（図示省略）が設けられている。
【００２０】
圧縮機１２、油分離器１３、室外熱交換器１４、膨張弁１５、アキュムレータ１６及び四方切換弁１７は、室外機２に設けられている。
圧縮機１２は、吸入ポートから吸入した冷媒を圧縮して吐出ポートから吐出するものである。圧縮機１２としては、例えば、スクロール圧縮機等の種々の圧縮機を採用することができる。
【００２１】
油分離器１３は、圧縮機１２から吐出された潤滑油及び冷媒の混合流体から潤滑油を分離するためのものである。分離された冷媒は四方切換弁１７へ送られ、潤滑油は圧縮機１２に戻される。
室外熱交換器１４は、冷媒と室外空気とを熱交換させるための熱交換器である。本実施形態の室外熱交換器１４は、マイクロチャネル型熱交換器である。室外熱交換器１４の近傍には、室外空気を室外熱交換器１４へ送風するための室外ファン１８が設けられている。室外熱交換器１４の液側端には、キャピラリ管３７を有する冷媒分流器１９が設けられている。
【００２２】
膨張弁１５は、冷媒回路４において室外熱交換器１４と室内熱交換器１１との間に配設され、流入した冷媒を膨張させて、所定の圧力に減圧させる。膨張弁１５として、例えば開度可変の電子膨張弁を採用することができる。
【００２３】
アキュムレータ１６は、流入した冷媒を気液分離するものであり、冷媒回路４において圧縮機１２の吸入ポートと四方切換弁１７との間に配設されている。アキュムレータ１６で分離されたガス冷媒は、圧縮機１２に吸入される。
【００２４】
四方切換弁１７は、図１において実線で示す第１の状態と、破線で示す第２の状態とに切換可能である。空気調和機１が冷房運転を行うときには、四方切換弁１７は第１の状態に切り換えられ、暖房運転を行うときには、四方切換弁１７は第２の状態に切り換えられる。
【００２５】
空気調和機１が冷房運転を行う場合、室外熱交換器１４が冷媒の凝縮器として機能し、室内熱交換器１１が冷媒の蒸発器として機能する。圧縮機１２から吐出されたガス状冷媒は室外熱交換器１４で凝縮し、その後、膨張弁１５で減圧されてから室内熱交換器１１で蒸発し、圧縮機１２に吸引される。暖房運転によって室外熱交換器１４等に付着した霜を取り除く除霜運転を行う場合にも、冷房運転と同様に、室外熱交換器１４が冷媒の凝縮器として機能し、室内熱交換器１１が冷媒の蒸発器として機能する。
【００２６】
空気調和機１が暖房運転を行う場合、室外熱交換器１４が冷媒の蒸発器として機能し、室内熱交換器１１が冷媒の凝縮器として機能する。圧縮機１２から吐出されたガス状冷媒は室内熱交換器１１で凝縮し、その後、膨張弁１５で減圧されてから室外熱交換器１４で蒸発し、圧縮機１２に吸引される。
【００２７】
［室外熱交換器の構成］
図２は、空気調和機の内部を示す平面図である。図３は、空気調和機の筐体の底板、液ヘッダ及び冷媒分流器を示す斜視図である。図４は、室外熱交換器を展開して示す概略図である。
以下の説明において、向きや位置を説明するために、「上」、「下」、「左」、「右」、「前（前面）」、「後（背面）」等の表現を用いる場合がある。これらの表現は、特に断りの無い限り、図３中に描画した矢印の方向に従う。具体的に以下の説明では、図３中の矢印Ｘの方向を左右方向、矢印Ｙの方向を前後方法、矢印Ｚの方向を上下方向とする。なお、これらの方向や位置を表す表現は、説明の便宜上用いられるものであって、特記無き場合、室外熱交換器１４全体や室外熱交換器１４の各構成の向きや位置を記載の表現の向きや位置に特定するものではない。
【００２８】
図２に示すように、室外機２は、筐体４０を備えている。筐体４０は、直方体形状に形成されている。筐体４０の内部には、前述した圧縮機１２、油分離器１３、室外熱交換器１４、膨張弁１５、アキュムレータ１６、四方切換弁１７、及び室外ファン１８等が設けられている。このうち図２には、圧縮機１２、室外熱交換器１４、及びアキュムレータ１６が示され、これらは筐体４０の底板４１上に設置されている。図２及び図３に示すように、底板４１は、長方形状に形成されている。また、底板４１には、後述するように排水用の開口４１ａ，４１ｂが形成されている。
【００２９】
本実施形態の室外熱交換器１４は、平面視（上面視）において筐体４０の左側面、後面、右側面、及び前面の４面に対向するように形成されている。筐体４０の前面に対向する室外熱交換器１４の一部は、筐体４０の前面の左右方向Ｘの端部のみに対向するように筐体４０の左右方向Ｘの長さよりも短く形成されている。室外熱交換器１４に対向する筐体４０の各面には、給気用の開口４０ａが形成されている。室外熱交換器１４は、一対のヘッダ２１，２２と、熱交換器本体２３とを有する。一対のヘッダ２１，２２及び熱交換器本体２３は、アルミニウム製又はアルミニウム合金製である。
【００３０】
一対のヘッダ２１，２２は、平面視において熱交換器本体２３の両端に配置されている。一方のヘッダ２１は、液状冷媒（気液二相冷媒）が流れる液ヘッダである。他方のヘッダ２２は、ガス状冷媒が流れるガスヘッダである。液ヘッダ２１及びガスヘッダ２２は、その長手方向を上下方向Ｚに向けた状態で配置されている。
【００３１】
図４に示すように、液ヘッダ２１には、冷媒分流器１９が接続されている。冷媒分流器１９は、内部に分岐流路が形成された分流器本体５０と、分流器本体５０の一端から延びる主管５１と、分流器本体５０の他端から延びる複数のキャピラリ管３７とを有する。主管５１は、膨張弁１５（図１参照）に接続されている。複数のキャピラリ管３７は、それぞれ液ヘッダ２１に接続管３５を介して接続されている。ガスヘッダ２２には、ガス配管２４が接続されている。
【００３２】
熱交換器本体２３は、内部を流れる冷媒と空気との間で熱交換を行う部分である。図４に示すように、熱交換器本体２３は、複数の伝熱管２６と、複数のフィン２７とを有する。各伝熱管２６は、水平に配置されている。複数の伝熱管２６は、上下方向Ｚに並べて配置されている。各伝熱管２６の長手方向の一端部は液ヘッダ２１に接続されている。各伝熱管２６の長手方向の他端部は、ガスヘッダ２２に接続されている。
【００３３】
伝熱管２６は、例えば、冷媒の流路となる複数の孔が水平方向に並べて形成された扁平多穴管である。複数のフィン２７は、伝熱管２６の長手方向に沿って並べて配置されている。冷媒は、液ヘッダ２１から熱交換器本体２３を通過してガスヘッダ２２へ一方向に流れるか、又は、ガスヘッダ２２から熱交換器本体２３を通過して液ヘッダ２１へ一方向に流れる。
【００３４】
図４に例示する熱交換器本体２３は、複数の熱交換部３１Ａ〜３１Ｋを有している。複数の熱交換部３１Ａ〜３１Ｋは、上下方向Ｚに並べて配置されている。液ヘッダ２１の内部は、熱交換部３１Ａ〜３１Ｋごとに上下に区画されている。言い換えると、図３に示すように、液ヘッダ２１の内部には、熱交換部３１Ａ〜３１Ｋごとの流路３３Ａ〜３３Ｋが形成されている。
【００３５】
液ヘッダ２１には、複数の接続管３５Ａ〜３５Ｋが接続されている。各接続管３５Ａ〜３５Ｋは、各流路３３Ａ〜３３Ｋに対応して設けられている。各接続管３５Ａ〜３５Ｋには、冷媒分流器１９のキャピラリ管３７Ａ〜３７Ｋが接続されている。
【００３６】
暖房運転の際に、冷媒分流器１９で分流された液状冷媒は、キャピラリ管３７Ａ〜３７Ｋ及び接続管３５Ａ〜３５Ｋを流れて液ヘッダ２１内の各流路３３Ａ〜３３Ｋに流入し、各流路３３Ａ〜３３Ｋに接続された１又は複数の伝熱管２６を通ってガスヘッダ２２へ流れる。逆に、冷房運転又は除霜運転の際に、ガスヘッダ２２で各伝熱管２６に分流された冷媒は、液ヘッダ２１の各流路３３Ａ〜３３Ｋに流入し、各流路３３Ａ〜３３Ｋから各キャピラリ管３７Ａ〜３７Ｋを流れて分流器本体５０で合流する。
【００３７】
ガスヘッダ２２の内部は区画されておらず、全ての熱交換部３１Ａ〜３１Ｋにわたって連続している。したがって、１本のガス配管２４からガスヘッダ２２に流入した冷媒は、全ての伝熱管２６に分流され、全ての伝熱管２６からガスヘッダ２２に流入した冷媒は、ガスヘッダ２２で合流されて１本のガス配管２４に流入する。
【００３８】
熱交換部３１Ａ〜３１Ｋ、液ヘッダ２１内の流路３３Ａ〜３３Ｋ、接続管３５Ａ〜３５Ｋ、及びキャピラリ管３７Ａ〜３７Ｋは、全て同数であり、これらの数は図４に示す例では１１となっている。しかし、この数は限定されるものではない。
【００３９】
［冷媒分流器の構成］
図５Ａは、液ヘッダ及び冷媒分流器の下部側を示す斜視図である。図５Ｂは、液ヘッダ及び冷媒分流器の上部側を示す斜視図である。図６は、液ヘッダ及び冷媒分流器の一部を左側から見た図である。図７は、液ヘッダ及び冷媒分流器の一部を後側から見た図である。図８は、図７のＥ−Ｅ線断面図である。図９は、底板及び冷媒分流器の一部を後斜め上方から見た斜視図である。
【００４０】
図２、図３、図６、及び図７に示すように、冷媒分流器１９は、室外熱交換器１４の液ヘッダ２１の左斜め後方に配置されている。冷媒分流器１９は、図５Ａ、図５Ｂ、及び図８にも示すように、分流器本体５０と、主管５１と、キャピラリ管３７（３７Ａ〜３７Ｋ）とを有する。分流器本体５０は、円筒形状に形成され、その中心が上下方向Ｚに沿って配置されている。分流器本体５０の内部には、分岐流路が形成されている。
【００４１】
分流器本体５０の上面（上下方向Ｚの一端面）５０ａには、１つの主管５１が接続されている。主管５１は、分流器本体５０の上面５０ａから上方に延びている。この主管５１は、他の冷媒配管等を介して膨張弁１５（図１参照）に接続されている。主管５１は、図８に示すように、分流器本体５０の上面５０ａにおける円形状の中心に接続されている。
【００４２】
分流器本体５０の下面（上下方向Ｚの他端面）５０ｂには、複数のキャピラリ管３７が接続されている。キャピラリ管３７は、分流器本体５０の下面５０ｂから下方に突出したあと折り曲げられ、分流器本体５０の下面５０ｂよりも上方に延びている。
【００４３】
以下の説明では、分流器本体５０の下面５０ｂに接続された複数のキャピラリ管３７のうち、分流器本体５０の下面５０ｂよりも上方で室外熱交換器１４の液ヘッダ２１に接続されるもの、具体的に、図５Ａ及び図５Ｂにおいて、最も下の接続管３５Ａと下から２番目の接続管３５Ｂに接続されるキャピラリ管３７Ａ，３７Ｂ以外のキャピラリ管３７Ｃ〜３７Ｋについて説明する。
【００４４】
以下、キャピラリ管３７と、液ヘッダ２１から突出する接続管３５とを併せて、単に「冷媒管」という。冷媒管は、次の３つの態様に分類することができる。
（１）図６に符号Ａで示すように、分流器本体５０の下面５０ｂから下方に突出する第１接続部Ａ１と、第１接続部Ａ１の下端から約１８０°折り曲げられて上方へ延びる鉛直部Ａ２と、を含む第１冷媒管Ａ；
（２）図６及び図７に符号Ｂで示すように、分流器本体５０の下面５０ｂから下方に突出する第１接続部Ｂ１と、第１接続部Ｂ１の下端から斜めに傾斜して延びる第１傾斜部Ｂ２と、を含む第２冷媒管Ｂ；
（３）図７に符号Ｃで示すように、分流器本体５０の下面５０ｂから下方に突出する第１接続部Ｃ１と、第１接続部Ｃ１の下端から折り曲げられて略水平に延びる水平部Ｃ２を含む第３冷媒管Ｃ。
【００４５】
図６〜図９に示すように、分流器本体５０の下方において、筐体４０の底板４１には、排水用の第１開口４１ａを有する第１排水部５３が形成されている。上述の第１〜第３冷媒管Ａ〜Ｃの最下端は、上下方向において第１開口４１ａと重なる位置に配置されている。
【００４６】
具体的に、図６に示すように、第１冷媒管Ａは、第１接続部Ａ１と鉛直部Ａ２との間がＵ字状に湾曲しており、この湾曲した部分（湾曲部）Ａ３が第１冷媒管Ａの最下端となっている。湾曲部Ａ３は、上下方向において第１開口４１ａと重なる位置に配置されている。
【００４７】
第２冷媒管Ｂは、図６及び図７に示すように、第１接続部Ｂ１側に位置する第１傾斜部Ｂ２の一端Ｂ２ａが高く、他端が低い。この第１傾斜部Ｂ２の他端Ｂ２ｂが最下端となっている。第１傾斜部Ｂ２の他端Ｂ２ｂは、上下方向において第１開口４１ａと重なる位置に配置されている。第１傾斜部Ｂ２は、水平方向に対して１５°以上の角度で傾斜している。
【００４８】
図７に示すように、第３冷媒管Ｃは、水平部Ｃ２が最下端となっている。そのため、水平部Ｃ２の全体が、上下方向において第１開口４１ａと重なる位置に配置されている。
以上より、第１〜第３冷媒管Ａ〜Ｃの最下端Ａ３，Ｂ２ｂ，Ｃ２は、上下方向において第１開口４１ａと重なる位置に配置されている。言い換えると、第１開口４１ａは、第１冷媒管Ａ、第２冷媒管Ｂ、及び第３冷媒管Ｃの最下端Ａ３，Ｂ２ｂ，Ｃ２の下方領域を含む大きさに形成されている。
【００４９】
暖房運転の際、冷媒分流器１９の主管５１には、凝縮された液冷媒が流れ、この液冷媒は、分流器本体５０で分流されて各冷媒管Ａ，Ｂ，Ｃを流れる。これらの冷媒管Ａ，Ｂ，Ｃを流れている冷媒は、減圧されることによって温度が低下し、外気よりも低温の気液二相冷媒となる。このとき、冷媒管Ａ，Ｂ，Ｃの周囲では外気が冷却されるため冷媒管Ａ，Ｂ，Ｃに結露水や霜が付着することがある。冷媒管Ａ，Ｂ，Ｃに付着した霜を除去するために除霜運転が行われると、霜が融解されて冷媒管Ａ，Ｂ，Ｃには水が付着することがある。
【００５０】
以上のように冷媒管Ａ，Ｂ，Ｃに水が付着すると、その水は冷媒管Ａ，Ｂ，Ｃを伝って下方へ流れ、冷媒管Ａ，Ｂ，Ｃの最下端Ａ３，Ｂ２ｂ，Ｃ２から落下する。本実施形態では、冷媒管Ａ，Ｂ，Ｃの最下端Ａ３，Ｂ２ｂ，Ｃ２が、上下方向において第１開口４１ａと重なる位置に配置されているので、冷媒管Ａ，Ｂ，Ｃの最下端Ａ３，Ｂ２ｂ，Ｃ２から落下した水は第１開口４１ａから外部に排出される。そのため、底板４１上で水が凍結したり、凍結した氷が上方へ成長するアイスアップ現象が生じたりすることが抑制される。
【００５１】
図６〜図９に示すように、第２冷媒管Ｂは、第１接続部Ｂ１及び第１傾斜部Ｂ２の他、第２傾斜部Ｂ３と、第３傾斜部Ｂ４とを有する。第２傾斜部Ｂ３は、第１接続部Ｂ１とは反対側の第１傾斜部Ｂ２の端部Ｂ２ｂから折れ曲がり、水平方向に対して傾斜して延びている。第２傾斜部Ｂ３は、第２冷媒管Ｂの最下端Ｂ２ｂに連続している。第３傾斜部Ｂ４は、第１傾斜部Ｂ２とは反対側の第２傾斜部Ｂ３の端部から折れ曲がり、水平方向に対して傾斜して延びている。第３傾斜部Ｂ４は、第２傾斜部Ｂ３とは異なる方向に延びている。
【００５２】
第２傾斜部Ｂ３は、第１傾斜部Ｂ２側の一端が低く、第３傾斜部Ｂ４側の他端が高くなるように傾斜している。第３傾斜部Ｂ４は、第２傾斜部Ｂ３側の一端が低く、第２傾斜部Ｂ３とは反対側の他端が高くなるように傾斜している。第２冷媒管Ｂは、図６に示すように、第３傾斜部Ｂ４の他端から折れ曲がり上方に延びる鉛直部Ｂ５を有している。
【００５３】
図６〜図９に示すように、第３冷媒管Ｃは、第１接続部Ｃ１及び水平部Ｃ２の他、第２傾斜部Ｃ３と、第３傾斜部Ｃ４とを有する。第２傾斜部Ｃ３は、第１接続部Ｃ１とは反対側の水平部Ｃ２の端部から折れ曲がり、水平方向に対して傾斜して延びている。第３傾斜部Ｂ４は、水平部Ｃ２とは反対側の第２傾斜部Ｃ３の端部から折れ曲がり、水平方向に対して傾斜して延びている。
【００５４】
第２傾斜部Ｃ３は、水平部Ｃ２側の一端が低く、第３傾斜部Ｃ４側の他端が高くなるように傾斜している。第３傾斜部Ｃ４は、第２傾斜部Ｃ３側の一端が低く、第２傾斜部Ｃ３とは反対側の他端が高くなるように傾斜している。第３冷媒管Ｃは、図６に示すように、第３傾斜部Ｃ４の他端から折れ曲がり上方に延びる鉛直部Ｃ５を有している。第２傾斜部Ｃ３及び第３傾斜部Ｃ４は、水平方向に対して１５°以上の角度で傾斜している。
【００５５】
図７に示すように、第２冷媒管Ｂの第２傾斜部Ｂ３と、第３冷媒管Ｃの第２傾斜部Ｃ３とは、略平行に配置されている。第２冷媒管Ｂの第２傾斜部Ｂ３と、第３冷媒管Ｃの第２傾斜部Ｃ３とは、上下方向に並べて配置されている。図６に示すように、第２冷媒管Ｂの第３傾斜部Ｂ４と、第３冷媒管Ｃの第３傾斜部Ｃ４は、略平行に配置されている。第２冷媒管Ｂの第３傾斜部Ｂ４と、第３冷媒管Ｃの第３傾斜部Ｃ４とは、上下方向に並べて配置されている。
【００５６】
図８に示すように、第２冷媒管Ｂの第２傾斜部Ｂ３と第３傾斜部Ｂ４とは、平面視において約９０°の角度で折れ曲がっている。第３冷媒管Ｃの第２傾斜部Ｃ３と第３傾斜部Ｃ４とも、平面視において約９０°の角度で折れ曲がっている。
【００５７】
図８及び図９に示すように、第２冷媒管Ｂの第３傾斜部Ｂ４及び第３冷媒管Ｃの第３傾斜部Ｃ４の下方において、筐体４０の底板４１には、第２開口４１ｂを有する第２排水部５４が設けられている。この第２開口４１ｂは、前後方向に細長く形成されている。第２開口４１ｂは、第１開口４１ａに左右方向に隣接して配置されている。第２傾斜部Ｂ３，Ｃ３と第３傾斜部Ｂ４，Ｃ４との境界Ｂ６，Ｃ６は、上下方向において第２開口４１ｂと重なる位置に配置されている。
【００５８】
図８及び図９に示すように、第２冷媒管Ｂ及び第３冷媒管Ｃにおいて、第３傾斜部Ｂ４，Ｃ４に付着した結露水等の水は、第３傾斜部Ｂ４，Ｃ４を伝って下方に流れ、第３傾斜部Ｂ４，Ｃ４と第２傾斜部Ｂ３，Ｃ３との境界Ｂ６，Ｃ６に到る。第３傾斜部Ｂ４，Ｃ４を流れる水は、この境界Ｂ６，Ｃ６で流れが妨げられるため、下方に落下しやすくなる。境界Ｂ６，Ｃ６は、上下方向において第２開口４１ｂと重なる位置に配置されているので、境界Ｂ６，Ｃ６から落下した水は、第２開口４１ｂから外部に排出される。
【００５９】
第３傾斜部Ｂ４，Ｃ４から境界Ｂ６，Ｃ６を超えて第２傾斜部Ｂ３，Ｃ３に到った水や第２傾斜部Ｂ３，Ｃ３に付着した結露水等は、第２傾斜部Ｂ３，Ｃ３を伝ってより下方に流れる。第２傾斜部Ｂ３，Ｃ３の下端は、図７に示すように、第２、第３冷媒管Ｂ，Ｃの最下端Ｂ２ｂ，Ｃ２に連続している。そのため、第２傾斜部Ｂ３，Ｃ３を伝う水は、最下端Ｂ２ｂ，Ｃ２から落下し、第１開口４１ａから外部に排出される。
【００６０】
図５Ａ及び図５Ｂに示すように、第１冷媒管Ａ、第２冷媒管Ｂ、及び第３冷媒管Ｃは、略水平に配置され液ヘッダ２１に接続される第２接続部Ａ７，Ｂ７，Ｃ７を有している。第１冷媒管Ａ、第２冷媒管Ｂ、及び第３冷媒管Ｃのうち、下から４番目以上の接続管３５Ｄ〜３５Ｋを含む冷媒管Ａ，Ｂ，Ｃは、第２接続部Ａ７，Ｂ７，Ｃ７と、冷媒管Ａ，Ｂ，Ｃの最下端Ａ３，Ｂ２ｂ，Ｃ２との間において、鉛直方向に沿って配置されるか、または、第２接続部Ａ７，Ｂ７，Ｃ７側から最下端Ａ３，Ｂ２ｂ，Ｃ２側へ向けて下り勾配となるように配置されている。そのため、第１〜第３冷媒管Ａ，Ｂ，Ｃに付着した水は、第２接続部Ａ７，Ｂ７，Ｃ７と最下端Ａ３，Ｂ２ｂ，Ｃ２との間で最下端Ａ３，Ｂ２ｂ、Ｃ２に向けて流れやすくなり、最下端Ａ３，Ｂ２ｂ，Ｃ２から落下した水を第１開口４１ａから外部へ排出することができる。
【００６１】
［その他の実施形態］
図１０は、筐体の底板に形成された排水部の他の実施形態を示す断面図である。
第１開口４１ａを有する第１排水部５３及び第２開口４１ｂを有する第２排水部５４（以下、単に「開口４１ａ，４１ｂ」又は「排水部５３，５４」という）は、図１０に示す形態とすることができる。図１０に示す排水部５３、５４は、底板４１から下方に凹む凹部４１ｃと、この凹部４１ｃの底部に形成された開口４１ａ，４１ｂとを有する。開口４１ａ，４１ｂの周囲における凹部４１ｃの上面４１ｃ１は、開口４１ａ，４１ｂ側が低くなるように傾斜している。排水部５３，５４が図１０に示すように構成されている場合、第１〜第３冷媒管Ａ，Ｂ，Ｃの最下端Ａ３，Ｂ２ｂ，Ｃ２は、上下方向において開口４１ａ，４１ｂと重なる位置に限らず、上下方向において凹部４１ｃと重なる位置に配置されてもよい。凹部４１ｃに落下した水は、上面４１ｃ１の傾斜によって開口４１ａ、４１ｂへ向けて流れ、開口４１ａ、４１ｂから外部へ排出される。
【００６２】
第２冷媒管Ｂの第１傾斜部Ｂ２は、第１接続部Ｂ１側の一端Ｂ２ａが低く、第２傾斜部Ｂ３側の他端Ｂ２ｂが高くてもよい。この場合、第１傾斜部Ｂ３の一端Ｂ２ａが、第２冷媒管Ｂの最下端となるので、第１傾斜部Ｂ２の一端Ｂ２ａが、上下方向において第１開口４１ａと重なる位置に配置される。
【００６３】
上述した実施形態では、室外熱交換器１４が、筐体４０の４つの側面に対向するように形成されていたが、室外熱交換器１４が、筐体４０の３つの側面に対向するように、平面視で略Ｕ字状に形成されていてもよい。
【００６４】
上記実施形態では、冷媒分流器１９が、液ヘッダ２１の後斜め後方に配置されていたが、液ヘッダ２１の左右方向Ｘの側方に配置されていてもよい。
上記実施形態では、矢印Ｚの方向を上下方向、矢印Ｙの方向を前後方向、矢印Ｘの方向を左右方向として空気調和機１を説明したが、これに限定されるものではなく、例えば、矢印Ｘの方向を前後方向、矢印Ｙの方向を左右方向としてもよい。
【００６５】
［実施形態の作用効果］
（１）上記実施形態の空気調和機１は、室外熱交換器１４と、室外熱交換器１４に液状冷媒を分流して流す冷媒分流器１９と、底板４１を有しかつ室外熱交換器１４及び冷媒分流器１９を収容する筐体４０とを備える。底板４１には、排水用の第１開口４１ａを有する第１排水部５３が設けられる。冷媒分流器１９は、分岐流路を有する分流器本体５０と、分流器本体５０の下面５０ｂから下方に突出したあと折り曲げられ、下面５０ｂよりも上方で室外熱交換器１４に接続される複数の冷媒管Ａ，Ｂ，Ｃとを備えている。全ての冷媒管Ａ，Ｂ，Ｃの最下端Ａ３，Ｂ２ｂ，Ｃ２は、上下方向において第１排水部５３と重なる位置に配置されている。そのため、冷媒管Ａ，Ｂ，Ｃの表面に付着した水が冷媒管Ａ，Ｂ，Ｃの最下端Ａ３，Ｂ２ｂ，Ｃ２から落下しても、当該水を第１排水部５３から筐体４０の外部に排出することができる。
【００６６】
（２）上記実施形態においては、冷媒管Ａ，Ｂ，Ｃの最下端Ａ３，Ｂ２ｂ，Ｃ２が、上下方向において第１開口４１ａと重なる位置に配置されている。そのため、冷媒管Ａ，Ｂ，Ｃの表面に付着した水が冷媒管Ａ，Ｂ，Ｃの最下端Ａ３，Ｂ２ｂ，Ｃ２から落下したとき、当該水を第１開口４１ａから直接的に筐体４０の外部に排出することができる。
【００６７】
（３）  上記実施形態においては、図６及び図７に示すように、少なくとも１つの冷媒管（第２冷媒管）Ｂが、分流器本体５０の下面５０ｂに接続され分流器本体５０の下面５０ｂから下方に突出する第１接続部Ｂ１と、第１接続部Ｂ１の下端から水平方向に対して傾斜する方向に折り曲げられた第１傾斜部Ｂ２とを有し、第１傾斜部Ｂ２の下側の端部Ｂ２ｂが、最下端となっている。そのため、冷媒管Ｂに付着し第１傾斜部Ｂ２に到った水は、第１傾斜部Ｂ２に沿って下方に流れ、第１傾斜部Ｂ２の下側の端部から落下し、筐体４０の外部に排出される。
【００６８】
（４）  上記実施形態においては、第１傾斜部Ｂ２が、水平方向に対して１５度以上傾斜している。そのため、第１傾斜部Ｂ２の下側の端部まで水が流れやすくなり、冷媒管Ｂの最下端Ｂ２ｂから水を落下させることができる。
【００６９】
（５）  上記実施形態においては、図７に示すように、少なくとも１つの冷媒管（第３冷媒管）Ｃが、分流器本体５０の下面５０ｂに接続され分流器本体５０の下面５０ｂから下方に突出する第１接続部Ｃ１と、第１接続部Ｃ１から水平方向に折り曲げられた水平部Ｃ２とを有し、水平部Ｃ２が冷媒管Ｃの最下端となっている。そのため、冷媒管Ｃに付着し水平部Ｃ２に流れた水は、水平部Ｃ２の範囲内で落下し、筐体４０の外部に排出することができる。
【００７０】
（６）  上記実施形態においては、図７〜図９に示すように、底板４１に、排水用の第２開口４１ｂを有する第２排水部５４が形成され、少なくとも１つの冷媒管Ｂ，Ｃが、最下端Ｂ２ｂ，Ｃ２と室外熱交換器１４（液ヘッダ２１）との間に、水平方向に対して傾斜する第２傾斜部Ｂ３，Ｃ３と、第２傾斜部Ｂ３，Ｃ３の端部から第２傾斜部Ｂ３，Ｃ３とは異なる方向に折り曲げられた第３傾斜部Ｂ４，Ｃ４と、を有する。第３傾斜部Ｂ４，Ｃ４は、第２傾斜部Ｂ３，Ｃ３側の端部が低くなるように水平方向に対して傾斜し、第２傾斜部Ｂ３，Ｃ３と第３傾斜部Ｂ４，Ｃ４との間の境界（折り曲げ部分）Ｂ６，Ｃ６が、上下方向において前記第２排水部５４と重なる位置に配置されている。そのため、第３傾斜部Ｂ４，Ｃ４に付着した水が、第３傾斜部Ｂ４，Ｃ４の傾斜によって境界Ｂ６，Ｃ６まで流れ、境界Ｂ６，Ｃ６から落下したとしても、第２排水部５４から筐体４０の外部に排出することができる。
【００７１】
（７）  上記実施形態においては、図６及び図７に示すように、第２傾斜部Ｂ３，Ｃ３が、第３傾斜部Ｂ４，Ｃ４側が高くなるように傾斜し、第２傾斜部Ｂ３，Ｃ３の下側の端部が、最下端Ｂ２ｂ，Ｃ２と連続している。第２傾斜部Ｂ３，Ｃ３に付着した水は、第２傾斜部Ｂ３，Ｃ３に沿って流れて第２傾斜部Ｂ３，Ｃ３の下側の端部に連続する最下端Ｂ２ｂ，Ｃ２に到る。そのため、当該水を最下端Ｂ２ｂ，Ｃ２から落下させ、第１排水部５３から筐体４０の外部に排出することができる。
【００７２】
（８）  上記実施形態においては、第２傾斜部Ｂ３，Ｃ３及び第３傾斜部Ｂ４，Ｃ４が、水平方向に対して１５度以上傾斜している。そのため、第２傾斜部Ｂ３，Ｃ３及び第３傾斜部Ｂ４，Ｃ４に付着した水を、第２傾斜部Ｂ３，Ｃ３及び第３傾斜部Ｂ４，Ｃ４の下側の端部まで流すことができる。
【００７３】
（９）  上記実施形態においては，冷媒管Ａ，Ｂ，Ｃが、室外熱交換器１４の液ヘッダ２１に接続される第２接続部Ａ７，Ｂ７，Ｃ７を備え、少なくとも１つの冷媒管Ａ，Ｂ，Ｃは、第２接続部Ａ７，Ｂ７，Ｃ７から最下端Ａ３，Ｂ２ｂ，Ｃ２までの間、鉛直方向に沿って配置されるか、又は、第２接続部Ａ７，Ｂ７，Ｃ７側から最下端Ａ３，Ｂ２ｂ，Ｃ２側へ向けて下り勾配に配置されている。そのため、第２接続部Ａ７，Ｂ７，Ｃ７と最下端Ａ３，Ｂ２ｂ，Ｃ２との間で冷媒管Ａ，Ｂ，Ｃに付着した水は、冷媒管Ａ，Ｂ，Ｃを伝って最下端Ａ３，Ｂ２ｂ，Ｃ２まで流れやすくなる。
【００７４】
（１０）  上記実施形態においては、室外熱交換器１４の一端と他端とが距離をあけて配置されており、室外熱交換器１４の一端に冷媒分流器１９が接続され、室外熱交換器１４の他端にガスヘッダ（ガス側配管）２２が接続される。冷媒分流器１９とガスヘッダ２２との双方が室外熱交換器１４の一端側に配置されている場合、冷媒分流器１９の周囲がガスヘッダ２２を流れる高温の冷媒によって温められ、冷媒分流器１９に付着した水の凍結や底板４１に落下した水の凍結が生じにくいが、本実施形態のように、冷媒分流器１９とガスヘッダ２２とが室外熱交換器１４の一端と他端とに振り分けて配置されている場合、冷媒分流器１９の周囲温度がより低くなり、水の凍結が生じやすくなる。したがって、冷媒分流器１９の冷媒管Ａ，Ｂ，Ｃを、以上に説明したような各構成とすることが、より有用である。
【００７５】
本開示は、以上の例示に限定されるものではなく、特許請求の範囲によって示され、特許請求の範囲と均等の意味及び範囲内ですべての変更が含まれることが意図される。
【符号の説明】
【００７６】
１：空気調和機
１４：室外熱交換器
１９：冷媒分流器
２２：ガスヘッダ（ガス側配管）
４０：筐体
４１：底板
４１ａ：第１開口
４１ｂ：第２開口
５０：分流器本体
５０ｂ：下面
５３：第１排水部
５４：第２排水部
Ａ：冷媒管
Ａ３：最下端
Ａ７：第２接続部
Ｂ：冷媒管
Ｂ１：第１接続部
Ｂ２：第１傾斜部
Ｂ２ｂ：最下端
Ｂ３：第２傾斜部
Ｂ４：第３傾斜部
Ｂ６：境界
Ｃ：冷媒管
Ｃ１：第１接続部
Ｃ２：水平部
Ｃ３：第２傾斜部
Ｃ４：第３傾斜部
Ｃ６：境界
【図１】
0006919697.tif 000002
【図２】
0006919697.tif 000003
【図３】
0006919697.tif 000004
【図４】
0006919697.tif 000005
【図５Ａ】
0006919697.tif 000006
【図５Ｂ】
0006919697.tif 000007
【図６】
0006919697.tif 000008
【図７】
0006919697.tif 000009
【図８】
0006919697.tif 000010
【図９】
0006919697.tif 000011
【図１０】
0006919697.tif 000012